(57)【要約】【課題】  やわらかさを徹底的に追求し、とろける様な肌触りの寝具を提供することにある。【解決手段】  本考案のふとん２０は、袋状に縫製された側生地３０と当該側生地３０に充填される充填材４０とからなる。側生地３０には、無撚糸をガーゼ状に２重編みしたエアーニットガーゼを使用した。また、充填材４０には、シルク１００％の真綿を使用した。ふとん２０の最大の特徴は、この無撚糸のエアーニットガーゼとシルク真綿とを組み合わせたことにある。なお、充填材４０の偏りを防止するために、ふとん２０にキルティング加工５０を施すと良い。【選択図】  図１
0003121189.tif 000002
【実用新案登録請求の範囲】
【請求項１】
袋状に縫製された側生地と当該側生地に充填される充填材とからなる寝具であって、
側生地にエアーニットガーゼを用いたことを特徴とする寝具。
【請求項２】
無撚糸からなるエアーニットガーゼを用いたことを特徴とする請求項１記載の寝具。
【請求項３】
充填材に天然素材を用いたことを特徴とする請求項１又は２記載の寝具。
【請求項４】
キルティング加工を施したことを特徴とする請求項１から３のいずれかに記載の寝具。
【考案の詳細な説明】
【技術分野】
【０００１】
本考案は、やわらかさを徹底的に追求した寝具に関するものである。
【背景技術】
【０００２】
従来より寝心地の良い寝具は種々開発・販売されてきた。例えば、特許文献１に開示された寝具は、図３に示すものであるが、表地２と裏地３との間に２枚の中地４，５を入れ、互いに対面する表地２と中地４との間、両中地４，５間、及び中地５と裏地３との間に、まちテープで区画された中わた収納部１２ａ，１２ｂ，１２ｃを該中わた収納部１２ａ，１２ｂ，１２ｃが上下方向に交互に位置するように形成し、これらの各中わた収納部１２ａ，１２ｂ，１２ｃ内に中わた１３を充填して３層構造となっている。これにより、中わたとしての羽毛の使用量を増加することなくより高い嵩高さが得られ、軽量かつよりふっくらした寝心地の良いふとんが提供されるというものである。
【０００３】
【特許文献１】特開２０００−６０７０７号公報
【考案の開示】
【考案が解決しようとする課題】
【０００４】
確かに、上記特許文献１のふとんを始めとして、世の中には寝心地の良い寝具は数多くある。しかし、やわらかさを徹底的に追求し、とろける様な肌触りの寝具は存在していなかった。本考案者は、鋭意研究・開発の結果、生地と中身原料を厳選することにより、とろける様な肌触りの寝具を実現させることができた。そしてさらに、ドレープ性（しなやかさ）はもちろんのこと、温度や湿度コントロールにも優れ、一年中快適に使用できる今までにはない究極の寝具を完成させた。
【課題を解決するための手段】
【０００５】
本考案者の完成させた第１の考案は、袋状に縫製された側生地と当該側生地に充填される充填材とからなる寝具であって、側生地にエアーニットガーゼを用いたことを特徴とするものである。ここで「エアーニットガーゼ」とは、適度に空気を含み、ガーゼ状に２重編みしたニット素材をいう。
第２の考案は、無撚糸からなるエアーニットガーゼを用いたことを特徴とするものである。ここで「無撚糸」とは、糸の撚りの無い、わたの繊維のままで糸になっているものをいう。
第３の考案は、充填材に天然素材を用いたことを特徴とするものである。ここで「天然素材」の一例として、真綿（シルク），カシミア，羊毛（ウール），キャメルなどが挙げられる。
第４の考案は、キルティング加工を施したことを特徴とするものである。ここで「キルティング加工」とは、使用による充填材の偏りを防止するために寝具の内部を仕切る加工のことをいう。
【考案の効果】
【０００６】
本考案によれば、次のような効果を有する。
（１）エアーニットガーゼには伸縮性があり、柔らかで肌触りが非常に良好なので、この生地を側生地に用いることで、とろける様な肌触りの寝具を提供できる。
（２）糸の「ねじれ」は敏感な肌に触れた時、肌を刺激し、時には炎症を起こしたりする。しかし、側生地に無撚糸を用いたことで、この「ねじれ」が取り除かれ、やわらかさや吸水性、速乾性、保温性など、綿が本来持つ機能を最大限に引き出し、とろける様な肌触りの寝具を提供できる。
（３）また、一般に綿の生地はゴワゴワしているためほとんどの綿製品は、後加工で添加物（柔軟剤）を使用しやわらかくしている。しかし、側生地に無撚糸を用いたことで最初からやわらかいので、肌に悪い影響を与える恐れのある添加物（柔軟剤）を使用する必要がなく、無添加で安全性の高い寝具を提供できる。
（４）エアーニットガーゼは伸縮性がありやわらかく仕上がるので、やわらかな無撚糸とは抜群の相性であり、両者の相乗効果でより肌触りの良い寝具を提供できる。
（５）やわらかい・軽い・暖かいと三拍子揃っている上に、吸湿発散性が良く、ドレープ性も抜群の真綿を充填材に用いたことで、側生地（ニット素材）と組み合わせることにより、体への包み込み度合いが極めて高い寝具を提供できる。
（６）キルティング加工を施したことで、使用による充填材の偏りを防止でき、使い勝手の良い寝具を提供できる。
【考案を実施するための最良の形態】
【０００７】
本考案の実施形態を図面に基づいて説明する。なお、ここでは、本考案に係る寝具としてふとんを例に説明する。
図１は、本考案に係るふとんの概要を示す説明用斜視図、図２は、本考案に係るふとんの概要を示す説明用Ａ−Ａ断面図である（キルティング加工の部分は省略した）。
本考案のふとん２０は、袋状に縫製された側生地３０と当該側生地３０に充填される充填材４０とからなる。
【０００８】
まず、側生地３０には、無撚糸をガーゼ状に２重編みしたエアーニットガーゼを使用した（例：商品名「スマイルコットン二重ガーゼ」販売元株式会社スマイルコットン）。この「無撚糸をガーゼ状に２重編みしたエアーニットガーゼ」を使用することで、従来には存在しなかったとろける様な肌触りの寝具を実現させることができた。
【０００９】
また、充填材４０には天然素材としてシルク１００％の真綿を使用した。シルク１００％の真綿は、やわらかい・軽い・暖かいと三拍子揃っている上に、吸湿発散性が良く、ドレープ性も高い。従って、上記側生地３０のニット素材と組み合わせることで、体への包み込み度合いが極めて良好となる。なお、充填材４０の偏りを防止するために、ふとん２０にキルティング加工５０を施すと良い。
【００１０】
本考案のふとん２０は、「無撚糸からなるエアーニットガーゼ」と「シルク１００％の真綿」とを組み合わせたことに最大の特徴があり、これによってこれまでにないやわらかさ、とろける様な肌触りのふとんを実現させることができ、さらに、ドレープ性はもちろんのこと、温度や湿度コントロールにも優れ、一年中快適に使用できる今までにはない究極のふとんを完成させた。
【産業上の利用可能性】
【００１１】
本考案は、ふとん、まくらなど寝具類には幅広く利用できるものである。
【図面の簡単な説明】
【００１２】
【図１】本考案に係るふとんの概要を示す説明用斜視図。
【図２】本考案に係るふとんの概要を示す説明用断面図。
【図３】特許文献１に開示された発明を示す説明図。
【符号の説明】
【００１３】
２０  ふとん    ３０  側生地    ４０  充填材    ５０  キルティング加工
【図１】
0003121189.tif 000003
【図２】
0003121189.tif 000004
【図３】
0003121189.tif 000005